(57)【要約】【課題】風力発電をどのような場所でも安価に出来るかと言うことが要求されているので。この事を解決したものである。【解決手段】安価に造るために、必要最少限度の構造強となるようなものとした。【選択図】図１
2005163770.tif 000002
【特許請求の範囲】
【請求項１】
風力発電装置の支持支柱を地上又は、水上（海上を含む）で直立させる為の構台。
【請求項２】
地上、又は水上（海上を含む）で風力発電機が風を受けた時。風力発電機が転倒ししない強さのある構台。
【請求項３】
その為、風力発電機の支持支柱受構台は支持支柱とは直角に交わり、しかも８０°以上それぞれ３方向以上に向かって開いていること。
【請求項４】
その風力発電機の支持支柱受構台は、出来うる限り経済的に作る為、立体的、又は平面的に、トラス状、又は梯子状に組み立てたものとする。そして、それぞれの先端は直線だけでなく、角形の場合でも、円形の場合でも良く、他端と強く結合させても良いものとする。
即ち完全角形、又は、完全円形、或いは完全楕円形にしても良いものとする。
風力発電機の支持支柱受構台が一本物である場合は、その断面形状が円形、又は楕円形、或いは角形で、それぞれ中空状のものか、Ｉ型、又は、Ｈ型、或いはＣ型、もしくはＬ型とするが、合成樹脂と合体で使用する場合は線でもよいものとし、その断面形状は、円形又は楕円形、或いは角形でも良いものとし、その使用本数は、単体の場合でも、或いは合成トラス状、又は合成梯子状架構の場合で使用する場合でも、それぞれ制限しないものとする。
【請求項５】
風力発電機の支持支柱受構台は  それぞれ直進したもの、ばかりでなく、その先端がそれぞれ一方向、又は複数方向に向かって、直角又は円形に曲がったものでも良いものとする。、
【請求項６】
風力発電装置の支持支柱受構台は、各支持支柱をそれぞれ単体だけでなく、複数、隣接して、設置しても良いものとする。
【請求項７】
風力発電装置の支持支柱受構台は、全体を軽くすることと、水中での浮力をつける為に、その各部材の中を中空にしても良いものとする。
例えば、パイプ状、又は楕円パイプ状、又は角パイプ状のものを使用して、軽くしても良いものとする。
【請求項８】
風力発電機の支持支柱受けの為の構台は、その材質を、全体を金属又は金属合金で造っても良く、或いは合成樹脂（炭素センイや、ポリエステルセンイ、ガラスセンイ、ピアノ線等の強化材の入ったものも含めた合成樹脂で作っても良いものとする。
その他金属や合金と合成樹脂との組み合わせで造っても良いものとする。
【請求項９】
風力発電機の支持支柱及び、その受構台と補助浮袋はその強度を大きくするために、中空状、例えばパイプ状、又は角パイプ状のものはその内部に、強度を大きくする為の隔壁、例えば、竹の節のようなものを適当な間隔で取りつけても良いものとする中空でなく、単体のもの、例えば、その断面がＨ型とかＩ型、［型，Ｃ型  Ｌ型をしたものでも、同様に補強用リブを入れても良いものとする。
【請求項１０】
風力発電装置の支持支柱の為の受構台と、その補助浮袋は、水中浮揚力を大きくつける為に、その中空状になっているところに、空気を入れて完全密閉しても良いもとするが、その空気を自由に出し入れ出来る装置を取付けても良いものとする。
又、風力発電装置の支持支柱受構台とその浮揚補助装置の外部にかける全体的カバー装置についても、同様のこととする。
【請求項１１】
風力発電装置の支持支柱の為の受構台と、その補助浮袋は、その部分が破損したとしても、中空部分に水が入って来たとしても受構台が絶対に沈没せぬよう、発泡性スチロールをきちっと吹き込んで、完全に防護しても良いものとする。
【請求項１２】
風力発電装置の支持支柱の為の受構台は、水上に浮かべた場合（海上の場合も当然）、その浮力を安定させたり受構台をつなぐ為、補助浮袋をその周辺に取りつけても良いものとする。
その大体の構造は支持支柱受構台に似たようなもので良く、その材質は金属又は合金、或いは合成樹脂（強化プラスチックを含む）等で作っても良くその中に空気はもちろん、発泡スチロールを入れても良いものとする。
【請求項１３】
風力発電装置の支持支柱の受構台えの取り付け部分は、組み立て易すいように、その接手部分の先端を、とがらせて、組み立てやすいようにしても良いものとする。
【請求項１４】
風力発電装置の支持支柱の受構台、及び浮揚補助浮袋は、海中又は水中に浮かす場合、風に流されて移動するので、それを防止し、安定的に繋留する為に、金属か合金、或いは合成樹脂（炭素センイ、ガラスセンイ、ポリエステルセンイ等を含む）の単数、又は複数の綱或いは鎖でアンカーで海底部分、又は湖底部分に繋留出来るようにするものとする。その場合、滑車を１個か複数使用して、その繋留位置調製しても良いものとする。
【請求項１５】
風力発電装置の支持支柱のの為の受構台、及びその浮揚補助浮袋の中に入れる発泡スチロールの水中（海中を含む）の浮揚力を極力発揮させる為に発泡スチロールの外部の一部、又は、全部に金属製、又は（炭素センイ、ガラスセンイ、ポリエステセンイ等を含む）合成樹脂製の網を設置して発泡スチロールの浮揚力をあまさず利用出来るようにしても良いものとする。
その場合、更にその外部を金属製、又は（炭素センイ、ガラスセンイ、ポリエステルセンイ等を含む）合成樹脂製の棒状物、又は帯状物で支持支柱の受構台及び浮揚補助浮袋の主要構造体に緊結して、上記の網が風力発電装置の支持支柱受構台全に充填した発砲スチロールの浮揚力をつたえることが出来るようにしても良いものとする。
【請求項１６】
風力発電装置の支持支柱受構台は、単管の中空パイプ１本でやっても良く、それは打ち込み機で打ち込んでも良く、ジェット噴出水により周囲の土砂を浮き立たせなながら打ち込んで設置しても良いものとする。
【請求項１７】
風力発電装置の支持支柱の受構台は電気防食しても良いものとする。
【請求項１８】
風力発電装置の支持支柱の受横台は防錆塗料を塗っても良いものとする
【請求項１９】
風力発電装置の支持支柱、及び受構台と、その付属浮揚介助用浮袋体は、その組立て作業を楽にする為に、小ブロックに分けて製作したものを地上又は湖水上或いは海上で組み立て完成させることが出来るようにしても良いものとする。
【請求項２０】
風力発電装置の支持支柱の受構台と、その浮揚補助用浮袋はこの中で使用する合成樹脂のなかに炭素センイ、ガラスセンイ、ポリエステルセンイ、又はピアノ線等の引っ張り強度の強い物質を入れて複合的に強度を出させても良いものとする。
【請求項２１】
風力発電装置の支持支柱受構台と、その浮揚補助用浮袋は有効に水上（海上含む）に浮かすことが出来るように、風力発電装置の支持支柱受構台と、その浮揚補助用浮袋の一部、又は全体を包むことが出来るカバーで包んでも良いものとする。
そして、そのカバーの中に空気を充填するか、発泡スチロールを充填しても良いものとする。
このカバー材料は、金属或いは合金、又は合成樹脂（強化プラスチック含む）等で作ったものでも良く、小さく分割してかけられるようにしても良いものとする。
使用する合成樹脂には炭素センイ、或いはガラスセンイ、ポリエステルセンイ  ナイロンセンイ、ピアノ線等、引っ張り強度の強いものを入れても良いものとする。
【請求項２２】
風力発電機支持支柱受構台の浮揚補助浮袋はそれを複数つなぐ場合、支持支柱受構台と筋違及びつなぎ材を含めて同様の構造（使用材料を含む）としても良いものとする。
【請求項２３】
風力発電装置の支持支柱受構台及び、その浮揚補助浮袋と、つなぎ材、筋違にかけるカバー材の内側に、水圧を主体トラスその他の構造体につたえる為に、適当な間隔で、竜骨を入れて、かかる水圧を伝えても良いものとする。
つなぎ材、及びトラス、と竜骨の材料は、金属又は合金、合成樹脂（強化プラスチックを含む）とし、炭素センイ、ガラスセンイ、ポリエステルセンイ、ピアノ線、当を入れても良いものとする。
【請求項２４】
風力発電装置の支持支柱受構台又は、その浮揚補助浮袋はその先端部分を、津波による水圧、と台風による風圧を極力少なくする為に、とがらせても良いものとする。
【発明の詳細な説明】
【技術分野】
【０００１】
【背景技術】
【０００２】新しい発明であるから、なし
【特許文献１】なし、
【非特許文献１】なし
【発明の開示】
【発明が解決しようとする課題】
【０００３】出来るだけ安価につくること
〔課題を解決するための手段〕【０００４】出来るだけ安価につくること
【発明の効果】
【０００５】本発明を実施すれば安価な電力が得られる。
【図面の簡単な説明】
【図１】（１）は風力発電装置（支持支柱を含む）（２）は風力発電装置の支持支柱受の為の構台で、この設置場所は、地上でも、海上でも求められるところに設置しても良いものとする。（３）風力発電装置の支持支柱受の為の構台の浮揚補助の為の浮袋（４）風力発電装置の支持支受の為の構台、及び、その浮揚補助用浮袋をそれぞれつなぐための綱又は鎖、（５）支持支柱受の為の横台の主体パイプトラス（６）支持支柱受の為の構台及び浮揚補助に充填した発泡スチロール（７）発砲スチロールが構台全体に浮揚力を与える為のネット（８）ネットが全力を出せる為の鉄棒又は炭素センイの帯、（９）風力発電装置の支持支柱受の為の構台、及びその浮揚補助の為の浮袋を海底のアンカーにつなぐロープ又は鎖（１０）構台及びその浮袋が風に流されないようにする為のアンカー（１１）海底（１２）海面（１３）防護用ロープ（１４）浮袋補強構造用筋違（金属製又は炭素センイ入り又はポリエステルセンイ入り合成樹脂製）
【図１】
2005163770.tif 000003